(57)【特許請求の範囲】
【請求項１】
膨張体本体と、前記膨張体本体に内蔵されたソケットと、前記ソケットに着脱可能に連結され、前記膨張体本体を膨らませる電気ポンプと、前記膨張体本体に内蔵され、バッテリーを受け取り、前記電気ポンプに電力を供給するバッテリーケースと、からなることを特徴とする、
膨張体。
【請求項２】
前記ソケットと前記電気ポンプの内部には、前記バッテリーに電気的に接続する第１電極と、第２電極が夫々備えられると共に、
前記電気ポンプが所定の第１位置に回転する時は、前記電気ポンプが作動して前記膨張体本体を膨らませることにより、前記第２電極が前記第１電極に接触する一方、前記電気ポンプが所定の第２位置に回転する時は、前記電気ポンプが停止して前記第１電極と前記第２電極が分離することを特徴とする、
請求項１に記載の膨張体。
【請求項３】
前記ソケットは、前記電気ポンプが前記第１位置と前記第２位置にある時、前記電気ポンプが前記ソケットからの分離を防止するための固定手段を有すると共に、前記電気ポンプが所定の第３位置に回転する時は、前記電気ポンプを前記固定手段から解除することを特徴とする、
請求項２に記載の膨張体。
【請求項４】
（ａ）請求項１乃至請求項３のいずれかに記載の膨張体を形成する工程と、
（ｂ）前記バッテリーケースにバッテリーを格納する工程と、
（ｃ）前記電気ポンプを前記ソケットに連結して、前記バッテリーによって前記電気ポンプに電力を供給する一方、前記膨張体本体を膨らませる工程と、からなることを特徴とする、
膨張体の成形制御方法。
【請求項５】
前記電気ポンプを前記ソケットから分離し、前記ソケットを通じて、請求項１乃至請求項３のいずれかに記載の膨張体を直ちに収縮する工程を更に付加することを特徴とする、
請求項４に記載の膨張体の成形制御方法。
【請求項６】
（ｄ）前記電気ポンプを前記ソケットから分離する工程と、
（ｅ）前記電気ポンプを前記ソケットに逆向けに連結して、前記膨張体本体の中の気体を排出する工程と、
を更に付加することを特徴とする、
請求項４に記載の膨張体の成形制御方法。
【発明の詳細な説明】
【０００１】
【発明の属する技術分野】
本発明は、エアベッド、エアバッグ等の膨張体（inflatable body or product）とその成形制御方法に係り、特に、事前にバッテリーケース（built-in battery case）とソケット（socket）を備える膨張体、とその成形制御方法に関するものである。
【０００２】
【従来の技術】
図１（Ａ）、（Ｂ）を参照すると、エアベッド（airbed）を膨らませる公知の電気ポンプ（electric pump）１４は、ファン及びモーター１４２を備えている。複数のバッテリー１４４は電気ポンプ１４に格納されて電力を供給する。エアベッド１０は弁１２（valve）を有する。操作の場合には、電気ポンプ１４をＢ方向に移動させて弁１２に連結し、さらにＡ方向に回転させて、電気ポンプ１４とエアベッド１０間の連結固定が行われている。
【０００３】
【本発明が解決しようとする課題】
本発明は、上記従来の技術と異なって構成されて、より膨張性・収縮性に優れるエアバッド等の膨張体と、その成形制御方法を提供することを課題とする。
【０００４】
【課題を解決するための手段】
上記のような課題を解決するために、本発明は、膨張体本体と、前記膨張体本体に内蔵されたソケットと、前記ソケットに着脱可能に連結され、前記膨張体本体を膨らませる電気ポンプと、前記膨張体本体に内蔵され、バッテリーを受け取り、前記電気ポンプに電力を供給するバッテリーケースと、からなることを特徴とする、膨張体である。
ここで、前記ソケットと前記電気ポンプの内部には、前記バッテリーに電気的に接続する第１電極と、第２電極が夫々備えられると共に、前記電気ポンプが所定の第１位置に回転する時は、前記電気ポンプが作動して前記膨張体本体を膨らませることにより、前記第２電極が前記第１電極に接触する一方、前記電気ポンプが所定の第２位置に回転する時は、前記電気ポンプが停止して前記第１電極と前記第２電極が分離することが特徴である。
また、前記ソケットは、前記電気ポンプが前記第１位置と前記第２位置にある時、前記電気ポンプが前記ソケットからの分離を防止するための固定手段を有すると共に、前記電気ポンプが所定の第３位置に回転する時は、前記電気ポンプを前記固定手段から解除することが特徴である。
【０００５】
さらに、本発明は、（ａ）上記膨張体のいずれかを形成する工程と、（ｂ）前記バッテリーケースにバッテリーを格納する工程と、（ｃ）前記電気ポンプを前記ソケットに連結して、前記バッテリーによって前記電気ポンプに電力を供給する一方、前記膨張体本体を膨らませる工程と、からなることを特徴とする、膨張体の成形制御方法である。
ここでは、前記電気ポンプを前記ソケットから分離し、前記ソケットを通じて、上記膨張体のいずれかを直ちに収縮する工程を更に付加することが特徴である。
また、（ｄ）前記電気ポンプを前記ソケットから分離する工程と、（ｅ）前記電気ポンプを前記ソケットに逆向けに連結して、前記膨張体本体の中の気体を排出する工程と、を更に付加することが特徴である。
【０００６】
【発明の実施の形態１】
上述した本発明の目的と、構成と、特徴と、効果をより明確に説明するために、好適な実施形態を挙げ、図示を参照にして以下に詳述する。
【０００７】
図２に示すように、本発明の第１実施形態の膨張体は、膨張体本体（エアベッド２６）と、着脱可能な電気ポンプ２０と、ビルトイン型バッテリーケース２２と、ビルトイン型ソケット２４と、からなる。
バッテリーケース２２は、電極２２２を有する蓋２２１を備える。また、バッテリーケース２２の下部に電極２２３を有し、蓋２２１の電極２２２に対応している。Ｏ型リング２４４と電極２４２はソケット２４の内壁に備えられ、電極２４２はバッテリーケース２２の電極２２２、２２３に電気的に接続されている。
【０００８】
更に、電気ポンプ２０は実質的に円筒形で、その側面に電極２０２と、その端部に空気吸込み口２０４及び空気吹出し口２０６と、内部に逆止め弁２０８と、を備えている。電気ポンプの逆止め弁２０８は、空気が空気吸込み口２０４から空気吹出し口２０６へと、単一方向に流れるようにする。
【０００９】
【膨張体の成形制御方法】
操作の際、バッテリーはバッテリーケース２２に格納されている。電気ポンプ２０をソケット２４に嵌めこみ、回転させて、電気ポンプ２０の電極２０２をソケット２４の電極２４２に接触させる。
【００１０】
その後、図３（Ａ）に示すように、電気ポンプ２０を作動して外部の空気をエアベッド２６に注入する。ソケット２４のＯ型リング２２４、エアベッド２６の空気漏れを防ぐ。図３（Ｂ）に示すように、収縮操作において、ユーザーはソケット２４から電気ポンプ２０を取り外してエアベッド２６を収縮する。
【００１１】
Ｏ型リングはソケット側だけではなく、電気ポンプ２０の側面に備えることもでき、エアベッドの空気漏れを防止できる。
【００１２】
【発明の実施の形態２】
図４に示すように、本発明の第２実施形態の膨張体は、膨張体本体（エアベッド２６）と、着脱可能な電気ポンプ３０と、電気ポンプ３０のキャップ（cap）３７と、ビルトイン型バッテリーケース３２と、ビルトイン型ソケット３４と、からなる。バッテリーケース３２は、電極３２２を有する蓋３２１（cover）を備える。また、バッテリーケース３２の下部に電極３２３を有し、蓋３２１の電極３２２に対応している。更に、矢印記号３６がエアベッド上のソケット３４の近くに記されている。
【００１３】
フランジ（flange）３４２は、ソケット３４のへりに形成され、電極３４４はソケット３４の内壁に備えられて、バッテリーケース３２の電極３２２、３２３に電気的に接続されている。
更に、電気ポンプ３０は実質的には円筒形で、その側面にフランジ３０１と、フランジ３０１に二つの電極３０２と、端部に空気吸込み口３０４及び空気吹出し口３０６と、を備えている。
【００１４】
【膨張体の成形制御方法】
また、図５に示すように、記号“ＯＮ”“ＯＦＦ”及び“ＯＰＥＮ”が電気ポンプ３０の側面と端部に記されている。
操作の際、バッテリーはバッテリーケース３２に搭載されて、電気ポンプ３０に電力を供給する。
本実施形態の電気ポンプ３０はエアベッドを膨張したり収縮したりするのに用いられる。膨張操作において、エアベッドの内側に空気吹出し口３０６が、エアベッドの外側に空気吸込み口３０４が来るように電気ポンプ３０をソケット３４にはめる。電気ポンプ３０は回転することにより、記号“ＯＮ”“ＯＦＦ”及び“ＯＰＥＮ”の位置を変更する。
【００１５】
図６（Ａ）に示すように、矢印記号３６が記号“ＯＮ”を指す時、電気ポンプ３０の電極３０２はソケット３４の電極３４４に接触して、電気ポンプ３０を作動させる。また図６（Ｂ）のように、その後、外部の空気がエアベッドに流れ込む。矢印記号が“ＯＦＦ”を指す時、電気ポンプ３０は停止する。矢印記号が“ＯＰＥＮ”を指す時、電気ポンプ３０をソケット３４から取り外すことができる。
図６（Ｃ）は空気が充填されているエアベッドを示す図で、膨張操作の後、電気ポンプ３０の空気吹出し口は、キャップ３７により閉鎖されて、エアベッドを密閉する。
【００１６】
収縮操作において、エアベッドの内側に空気吸込み口３０４が、エアベッドの外側に空気吹出し口３０６が来るように、電気ポンプ３０をソケット３４に逆にはめる。電気ポンプ３０を回転させて、側面の記号“ＯＮ”“ＯＦＦ”及び“ＯＰＥＮ”の位置を変更する。
【００１７】
図７（Ａ）に示すように、矢印記号３６が記号“ＯＮ”を指す時、電気ポンプ３０の電極３０２はソケット３４の電極３４４に接触して、電気ポンプ３０を作動させる。図７（Ｂ）のように、その後、エアベッド内の空気が排出される。矢印記号が“ＯＦＦ”を指す時、電気ポンプ３０は停止する。矢印記号が“ＯＰＥＮ”を指す時、電気ポンプ３０はソケット３４から取り外すことができる。
【００１８】
膨張操作と収縮操作のどちらにおいても、ソケット３４のフランジ３４２は電気ポンプ３０のフランジ３０１を固定するのに用いられ、矢印記号３６が“ＯＮ”や“ＯＦＦ”を指す時、電気ポンプがソケット３４から外れるのを防ぐ。
しかし、矢印記号３６が“ＯＰＥＮ”を指す時、フランジ３４２はソケット３４のへりから離れて、電気ポンプ３０のフランジ３０１を固定しないようにする。これにより、矢印記号３６が“ＯＰＥＮ”の時、電気ポンプ３０をソケット３４から取り外すことができる。
【００１９】
以上はこの発明の好ましい実施形態を開示したものであって、この発明の実施の範囲を限定するものではない。よって、当業者のなしえる修正、もしくは変更であって、この発明の精神、もしくは特許請求の範囲の記述に対して均等の効果を有するものは、いずれも特許請求の範囲に属するものとする。
【図面の簡単な説明】
【図１】（Ａ）公知のエアベッドの要部を示す斜視図である。
（Ｂ）図１（Ａ）のI−I線の断面図である。
【図２】本発明の第１実施形態におけるエアベッドの要部の説明図である。
【図３】（Ａ）第１実施形態におけるエアベッドの膨張操作の説明図である。
（Ｂ）第１実施形態におけるエアベッドの収縮操作の説明図である。
【図４】本発明の第２実施形態におけるエアベッドの要部の説明図である。
【図５】第２実施形態における電気ポンプの斜視図である。
【図６】（Ａ）第２実施形態におけるエアベッドの膨張操作の説明図である。
（Ｂ）第２実施形態におけるエアベッドの膨張操作の説明図である。
（Ｃ）第２実施形態におけるエアベッドの膨張操作の説明図である。
【図７】（Ａ）第２実施形態におけるエアベッドの収縮操作の説明図である。
（Ｂ）第２実施形態におけるエアベッドの収縮操作の説明図である。
【符号の説明】
１０、２６…エアベッド、１２…弁、１４、２０、３０…電気ポンプ、
２２、３２…バッテリーケース、
２４、３４…ソケット、３６…矢印、３７…キャップ、
１４２…ファン及びモーター、１４４…バッテリー、
２０４、３０４…空気吸込み口、２０８、３０６…空気吹出し口、
２０８…逆止め弁、
２０２、２２２、２２３、２４２、３０２、３２２、３２３、３４４…電極、
２２１、３２１…ふた、２４４…Ｏ型リング、３０１、３４２…フランジ。
【図１】
0003643952.tif 000002
【図２】
0003643952.tif 000003
【図３】
0003643952.tif 000004
【図４】
0003643952.tif 000005
【図５】
0003643952.tif 000006
【図６】
0003643952.tif 000007
【図７】
0003643952.tif 000008